(57)【要約】    【課題】  緊急呼出し機能を有する携帯電話に於いて、誤操作等により緊急呼が発信されない様にし、使用者の作業で確実に緊急呼が発信される様にする。    【解決手段】  緊急呼出し機能を有し、緊急呼が緊急呼出し専用のスイッチ操作により発信される携帯電話に於いて、前記緊急呼出し専用のスイッチ１１が操作釦１８を有し、該操作釦は押下、スライドの２動作で作動する様構成した。    【選択図】          図３
2006086832.tif 000002
【特許請求の範囲】
【請求項１】
緊急呼出し機能を有し、緊急呼が緊急呼出し専用のスイッチ操作により発信される携帯電話に於いて、前記緊急呼出し専用のスイッチが操作釦を有し、該操作釦は押下、スライドの２動作で作動する様構成したことを特徴とする携帯電話。
【発明の詳細な説明】
【技術分野】
【０００１】
本発明は携帯電話、特に緊急呼出し機能を有する携帯電話に関するものである。
【背景技術】
【０００２】
従来、携帯電話には緊急呼出し機能を有するものがあり、例えば、特許文献１に示されるものでは、緊急呼出し専用の緊急呼出釦を具備しており、緊急呼出釦を押すことで消防・救急の「１１９」が緊急呼され、或は警察の「１１０」が緊急呼される様になっている。
【０００３】
上記従来の携帯電話に於ける緊急呼出し機能では、緊急呼出釦を押すことで緊急呼が発信されるので、誤操作によって緊急呼がダイアル発信される可能性があり、或は携帯時に釦に異物が当って緊急呼がダイアル発信される可能性もあった。
【０００４】
【特許文献１】特開２００１−３２０４６７号公報
【発明の開示】
【発明が解決しようとする課題】
【０００５】
本発明は斯かる実情に鑑み、緊急呼出し機能を有する携帯電話に於いて、誤操作等により緊急呼がダイアル発信されない様にし、使用者の作業で確実に緊急呼がダイアル発信される様にするものである。
【課題を解決するための手段】
【０００６】
本発明は、緊急呼出し機能を有し、緊急呼が緊急呼出し専用のスイッチ操作により発信される携帯電話に於いて、前記緊急呼出し専用のスイッチが操作釦を有し、該操作釦は押下、スライドの２動作で作動する様構成した携帯電話に係るものである。
【発明の効果】
【０００７】
本発明によれば、緊急呼出し機能を有し、緊急呼が緊急呼出し専用のスイッチ操作により発信される携帯電話に於いて、前記緊急呼出し専用のスイッチが操作釦を有し、該操作釦は押下、スライドの２動作で作動する様構成したので、緊急呼を発信する為には、押下スライド又はスライド押下の方向の異なる２動作を必要とするので、誤操作が防止され、携帯時に異物がスイッチに当接して緊急呼が発信されるという事態が防止されるという優れた効果を発揮する。
【発明を実施するための最良の形態】
【０００８】
以下、図面を参照しつつ本発明を実施する為の最良の形態を説明する。
【０００９】
図１〜図１０に於いて第１の実施の形態について説明する。
【００１０】
図１（Ａ）、図１（Ｂ）は本発明が実施される携帯電話の一例を示しており、図示では折畳み式の携帯電話１である。
【００１１】
該携帯電話１は蓋部２と本体部３を有し、該蓋部２と本体部３とは蝶番４を介して屈曲自在となっており、前記蓋部２の内面には表示部５、スピーカ６が設けられ、前記本体部３の内面にはテンキー、機能キー等を有する釦入力部７、マイク８が設けられている。
【００１２】
又、前記本体部３の内部には回路部９が収納され、前記本体部３の側面には緊急呼出し用スイッチ１１が設けられている。
【００１３】
図２に於いて、前記携帯電話１の概略構成を説明する。
【００１４】
図２中、１２は信号を送受信するアンテナ部を示し、該アンテナ部１２には前記回路部９が接続されている。該回路部９は無線部１３、制御部１４、メモリ部１５等から構成される。前記アンテナ部１２には前記無線部１３が接続され、該無線部１３には更に前記スピーカ６、前記マイク８が接続されている。
【００１５】
前記携帯電話１全体は前記制御部１４によって制御され、前記無線部１３の制御、前記メモリ部１５へのデータの書込み、読込みの制御、該メモリ部１５に格納されたプログラムの実行、前記釦入力部７、前記緊急呼出し用スイッチ１１から入力される信号の処理等を行う。
【００１６】
前記メモリ部１５には該メモリ部１５を作動させる為に必要なプログラム、例えば前記表示部５にデータ或は映像を表示させる為の表示プログラム等が格納されると共に緊急呼用のデータが格納されている。該緊急呼用データは、例えば図８に示される様にメモリＩＤに関連付けられて、緊急呼の発信信号（図示せず）、該発信信号に対応する電話番号表示、名称等が記録されたものである。
【００１７】
前記制御部１４は前記緊急呼出し用スイッチ１１から信号が入力されると、ダイアル発信すると共に、入力されたメモリＩＤに対応した緊急発信先の名称、電話番号を前記表示部５に表示する。
【００１８】
図３〜図７に於いて前記緊急呼出し用スイッチ１１について説明する。
【００１９】
図中、１６は前記本体部３の筐体を示しており、該本体部３にはスライド孔１７が形成され、前記筐体１６の内部には操作釦１８が前記筐体１６の内壁面に沿って摺動自在に設けられ、前記操作釦１８は板バネ１９により前記筐体１６の内壁面に当接する様に付勢されている。
【００２０】
前記操作釦１８は短冊状のスライド板部２０と該スライド板部２０の略中央に形成され、直方体形状に突出する摘み２１を有しており、該摘み２１は前記スライド孔１７を貫通して外部に一部が突出する様になっている。前記筐体１６には前記スライド孔１７内の前記摘み２１の位置に対応して、「ＯＦＦ」、「１１０」、「１１９」等表示を設ける。
【００２１】
前記スライド板部２０の一端部の摺接面には係止突部２２が突設され、該係止突部２２は前記筐体１６の摺接面の係止凹部２３に嵌合離脱可能となっている。又前記筐体１６の摺接面には前記係止凹部２３と所要間隔で第１位置決め凹部２４、第２位置決め凹部２５が形成され、前記第１位置決め凹部２４、第２位置決め凹部２５の深さは浅く、前記係止突部２２が嵌脱可能であると共に通過可能となっている。前記スライド板部２０の他端部の摺接面には凸部２６が形成され、前記筐体１６の摺接面には前記凸部２６が嵌入自在な凹部２７が形成されている。
【００２２】
前記スライド板部２０の一端部の反摺接面には曲面で形成されたスイッチ押片２８が形成され、又前記第１位置決め凹部２４に対応した位置に第１スイッチ２９、前記第２位置決め凹部２５に対応した位置に第２スイッチ３１が配設され、前記係止突部２２が前記第１位置決め凹部２４に嵌合した状態で前記スイッチ押片２８が前記第１スイッチ２９を作動させ、又前記係止突部２２が前記第２位置決め凹部２５に嵌合した状態で前記スイッチ押片２８が前記第２スイッチ３１を作動させる様になっている。
【００２３】
前記第１スイッチ２９、第２スイッチ３１は押し釦式のスイッチ、例えばタクトスイッチが使用され、更に前記第１スイッチ２９、前記第２スイッチ３１は前記スイッチ押片２８が円滑に摺動する様に山形状の板バネ３２，３３に覆われている。
【００２４】
以下、図１０を参照して作動について説明する。
【００２５】
図３、図４に示される状態は、前記係止突部２２が前記係止凹部２３に嵌合し、前記緊急呼出し用スイッチ１１のホールド状態となっている。
【００２６】
ホールド状態では前記スイッチ押片２８は前記第１スイッチ２９、前記第２スイッチ３１から離反しており、前記第１スイッチ２９、前記第２スイッチ３１は非作動状態であると共に前記操作釦１８は前記係止突部２２と前記係止凹部２３との嵌合でスライド方向の動きが拘束されている。
【００２７】
前記摘み２１に押圧力が作用し、該摘み２１が押込まれたとしても、前記スイッチ押片２８は前記第１スイッチ２９から外れており、該第１スイッチ２９が作動することはない。従って、誤操作により前記摘み２１が押圧された場合、或は異物が接触して該摘み２１が押圧された場合に、前記第１スイッチ２９が誤作動することがない。
【００２８】
上記した様に前記操作釦１８により緊急呼をダイアル発信する為には、押下スライド又はスライド押下の方向の異なる２動作を必要とするので、誤操作が防止され、携帯時に異物がスイッチに当接して緊急呼発信されるという事態が防止される。
【００２９】
次に、前記緊急呼出し用スイッチ１１を使用する場合、前記摘み２１を押込み、更に図３中右方にスライドさせる。前記係止突部２２が前記係止凹部２３を脱して前記筐体１６の内壁面に乗上げることで前記スイッチ押片２８は図３中前記係止突部２２分だけ下方に変位し、前記スイッチ押片２８が前記第１スイッチ２９、第２スイッチ３１を作動可能な位置となる。
【００３０】
例えば、警察に緊急呼をダイアル発信する場合は、前記摘み２１を表示に従って「１１０」の位置にする。「１１０」の位置では前記係止突部２２が前記第１位置決め凹部２４に嵌合して、前記操作釦１８の位置が保持される。同時に、前記スイッチ押片２８が前記板バネ３２を介して前記第１スイッチ２９を押圧して作動させる（図６参照）。
【００３１】
該第１スイッチ２９からはＩＤ１の信号が発せられ、前記制御部１４はＩＤ１に対応したデータを前記メモリ部１５から読込み、「１１０」の緊急呼をダイアル発信すると共に前記表示部５に図９（Ａ）に示される様に、「警察」の文字と「１１０」の電話番号を表示する。
【００３２】
同様にして、消防・救急に緊急呼をダイアル発信する場合は、前記摘み２１を「１１９」の位置にする。「１１９」の位置では前記係止突部２２が前記第２位置決め凹部２５に嵌合して、前記操作釦１８の位置が保持される。同時に、前記スイッチ押片２８が前記板バネ３３を介して前記第２スイッチ３１を押圧して作動させる（図７参照）。
【００３３】
該第２スイッチ３１からはＩＤ２の信号が発せられ、前記制御部１４はＩＤ２に対応したデータを前記メモリ部１５から読込み、「１１９」の緊急呼をダイアル発信すると共に前記表示部５に図９（Ｂ）に示される様に、「消防・救急」の文字と「１１９」の電話番号を表示する。
【００３４】
図１１〜図１４に於いて、第２の実施の形態に於ける緊急呼出し用スイッチ１１について説明する。尚、図１１〜図１４中、図３中で示したものと同等のものには同符号を付してある。
【００３５】
尚、上記実施の形態に於いて、図３、図４に示された様に前記第１スイッチ２９、第２スイッチ３１は前記スライド板部２０のホールド位置に対して一側に隣接して設けたが、図５に示される様にホールド位置を挾んで両側に設ければ、前記摘み２１をホールド位置からＩＤ１或はＩＤ２のいずれか要求される緊急呼の位置に１つの動作で直ちに設定できる。
【００３６】
該第２の実施形態では、前記スライド板部２０に対してスライドガイド３５を設けたものである。前記スライド板部２０はスライド孔１７に対して幅広となっている。
【００３７】
前記スライドガイド３５は図１１に於いて、上下に設けたガイド突条３６，３７によって形成され、前記ガイド突条３６は前記ガイド突条３７に対して短くなっており、前記摘み２１のホールド状態で前記スライド板部２０の一端部端面が前記ガイド突条３６の端面に略当接する様になっている。又、前記ガイド突条３７は端部が前記スライド板部２０の一端部に対面する様な長さとなっている。又、スイッチ押片２８の幅は前記ガイド突条３６，３７と前記ガイド突条３６，３７との間を干渉することなく移動できる幅となっている。又、前記第１スイッチ２９、第２スイッチ３１も前記前記ガイド突条３６，３７と前記ガイド突条３６，３７との間に設けられている。
【００３８】
前記緊急呼出し用スイッチ１１を操作する場合は、前記摘み２１を押圧する。該摘み２１は板バネ１９に抗して押込まれ、前記スライド板部２０の端部が前記ガイド突条３７の端部に当接する。前記スライド板部２０の端部が前記ガイド突条３７の端部に当接した状態では、係止突部２２が係止凹部２３から脱している。
【００３９】
前記摘み２１をスライドさせると前記スライド板部２０の幅端部が前記ガイド突条３６，３７に嵌合し、前記スライド板部２０の図１３中上方への復帰が拘束される。又、前記スライド板部２０が前記スライドガイド３５に嵌合した状態では、前記スイッチ押片２８が前記第１スイッチ２９、第２スイッチ３１を作動可能な位置となっている。
【００４０】
而して、操作釦１８をＩＤ１の位置にスライドさせると、前記第１スイッチ２９が作動し、前記操作釦１８をＩＤ２の位置にスライドさせると前記第２スイッチ３１が作動する。
【００４１】
前記第１スイッチ２９、前記第２スイッチ３１が作動した場合の、表示部５の表示等については前述したと同様である。
【００４２】
前記操作釦１８をホールド位置に戻すと、前記スライド板部２０が前記スライドガイド３５から外れ、前記板バネ１９の復元力で前記操作釦１８が押上げられ、前記係止突部２２が前記係止凹部２３に嵌合して、前記操作釦１８はスライド方向の動きが拘束される。
【００４３】
図１５〜図１８に於いて、第３の実施の形態について説明する。尚、図１７、図１８中、図３中で示したものと同等のものには同符号を付してある。
【００４４】
図１５は第３の実施の形態に係る携帯電話３８を示しており、該携帯電話３８は本体部３の内面に押し釦式の緊急呼出し用スイッチ３９を具備している。
【００４５】
前記本体部３の緊急呼出し用スイッチ３９に隣接した位置には、図１６に示される様に、ホールド位置に対応してＯＦＦ、緊急呼出し位置に対応して「１１０」ｏｒ「１１９」等の表示がされている。
【００４６】
前記緊急呼出し用スイッチ３９について図１７、図１８により説明する。尚、図１７はホールド状態を示し、図１８は緊急呼発信状態示している。
【００４７】
筐体１６の内面１６ａに対し所要距離離れた内側に、スライド溝４１が形成され、該スライド溝４１にスライドプレート４２が摺動自在に嵌合しており、該スライドプレート４２にはコイルスプリング等の押しバネ４３を介して押し釦式の操作釦４４が支持され、該操作釦４４は前記押しバネ４３により前記筐体１６に対して突出方向（図１７に於いて上方）に付勢されている。該筐体１６にはスライド孔１７が形成されており、前記操作釦４４は前記スライド孔１７から所要量突出していると共に前記スライド孔１７内を摺動可能となっている。
【００４８】
前記操作釦４４の少なくとも一方の側面には垂直部４５ａ、スライド部４５ｂ、垂直部４５ｃから構成されるクランク状の係合溝４５が形成され、該係合溝４５には前記筐体１６に形成された係合ピン４６が移動自在に嵌合している。又、前記操作釦４４からは長靴状のレバー片４７が下方に延出しており、該レバー片４７の先端は後述する歯車４８の突片４９と係合可能となっている。
【００４９】
前記操作釦４４に対向してロータリスイッチ５１が設けられ、該ロータリスイッチ５１のスイッチ回転軸５２には前記歯車４８が設けられ、該歯車４８は等角度ピッチで所要数の前記突片４９が突設されており、前記歯車４８の１ピッチ回転毎に、前記ロータリスイッチ５１の作動状態が「１１０」又は「１１９」に交互に切替わる様になっている。
【００５０】
以下、作動について説明する。
【００５１】
ホールド状態では、図１７に示される様に、前記係合ピン４６は前記垂直部４５ｃの位置にあり、前記操作釦４４は前記押しバネ４３により上方に押上げられている。この状態では、前記レバー片４７は前記突片４９と離反している。
【００５２】
緊急呼発信したい場合は、前記操作釦４４を押込む。該操作釦４４の押込みにより、前記係合ピン４６が前記スライド部４５ｂの位置迄移動し、前記操作釦４４が前記歯車４８の方向に移動可能となる。前記操作釦４４を図中右方に移動すると、前記スライドプレート４２が前記スライド溝４１に案内されつつ、前記スライドプレート４２と前記押しバネ４３と前記操作釦４４とが一体に移動する。
【００５３】
前記操作釦４４の移動により、前記係合ピン４６が前記スライド部４５ｂの左端に達すると、前記係合ピン４６は前記垂直部４５ａに沿って押圧方向（図中上下方向）に移動可能となる。又、前記レバー片４７は前記突片４９と係合可能な位置となる。
【００５４】
前記係合ピン４６を押す度に前記レバー片４７が前記突片４９を下方に押下げ、該突片４９をピッチ分だけ回転させ、前記ロータリスイッチ５１を「１１０」又は「１１９」に切替えて、緊急呼発信用の信号を前記制御部１４（図２参照）に送出する。
【００５５】
該制御部１４は上述したと同様に、「１１０」又は「１１９」の緊急呼をダイアル発信すると共に前記表示部５に図９（Ａ）、図９（Ｂ）に示される様に、「警察」の文字と「１１０」の電話番号、又は「消防・救急」の文字と「１１９」の電話番号を表示する。
【００５６】
本実施の形態に於いても、緊急呼出し用スイッチ３９のホールド状態から、緊急呼出しを行うには、押込み、押込んだ状態を維持してスライド、の２動作が必要となり、誤操作が防止され、携帯時に異物がスイッチに当接して緊急呼発信されるという事態が防止される。
【図面の簡単な説明】
【００５７】
【図１】（Ａ）（Ｂ）は本発明が実施される携帯電話の一例を示し、（Ａ）は正面図、（Ｂ）は側面図である。
【図２】本発明の第１の実施の形態を示す概略構成図である。
【図３】本実施の形態の要部断面を示し、図１のＡ−Ａ矢視図である。
【図４】本実施の形態に於ける緊急呼出し用スイッチの説明図である。
【図５】同前他の緊急呼出し用スイッチの説明図である。
【図６】本実施の形態の作動を示す要部説明図である。
【図７】本実施の形態の作動を示す要部説明図である。
【図８】本実施の形態に於けるメモリ部に格納されるデータの説明図である。
【図９】（Ａ）（Ｂ）は、本実施の形態に於ける表示例を示す説明図である。
【図１０】本実施の形態に於ける作動を示すフローチャートである。
【図１１】本発明の第２の実施の形態を示す要部断面図である。
【図１２】本第２の実施の形態に於ける緊急呼出し用スイッチの説明図である。
【図１３】本第２の実施の形態の作動を示す要部説明図である。
【図１４】本第２の実施の形態の作動を示す要部説明図である。
【図１５】本発明の第３実施の形態に係る携帯電話を示す正面図である。
【図１６】本第３の実施の形態に於ける緊急呼出し用スイッチの説明図である。
【図１７】本発明の第３の実施の形態の要部断面図を示し、図１５のＢ−Ｂ矢視図である。
【図１８】本発明の第３の実施の作動を示す要部説明図である。
【符号の説明】
【００５８】
５              表示部
１１            緊急呼出し用スイッチ
１４            制御部
１５            メモリ部
１６            筐体
１７            スライド孔
１８            操作釦
１９            板バネ
２０            スライド板部
２１            摘み
２２            係止突部
２３            係止凹部
２４            第１位置決め凹部
２５            第２位置決め凹部
２６            凸部
２７            凹部
２８            スイッチ押片
２９            第１スイッチ
３１            第２スイッチ
３２            板バネ
３３            板バネ
３９            緊急呼出し用スイッチ
４２            スライドプレート
４３            押しバネ
４４            操作釦
４５            係合溝
４６            係合ピン
４８            歯車
４９            突片
５１            ロータリスイッチ
５２            スイッチ回転軸
【図１】
2006086832.tif 000003
【図２】
2006086832.tif 000004
【図３】
2006086832.tif 000005
【図４】
2006086832.tif 000006
【図５】
2006086832.tif 000007
【図６】
2006086832.tif 000008
【図７】
2006086832.tif 000009
【図８】
2006086832.tif 000010
【図９】
2006086832.tif 000011
【図１０】
2006086832.tif 000012
【図１１】
2006086832.tif 000013
【図１２】
2006086832.tif 000014
【図１３】
2006086832.tif 000015
【図１４】
2006086832.tif 000016
【図１５】
2006086832.tif 000017
【図１６】
2006086832.tif 000018
【図１７】
2006086832.tif 000019
【図１８】
2006086832.tif 000020